(57)【要約】【課題】装置の小型化が可能であり、さらに筐体と原稿台との間の係合手段の強度を確保することができるフラットベッド型の画像読取装置を提供する。【解決手段】筐体と、板状の透明部材を有する原稿台と、副走査方向に沿って往復移動可能であるように筐体に取り付けられたキャリッジと、キャリッジに搭載され、透明部材の上面に載置された原稿を透明部材の下面から読み取る画像読取手段と、を有する画像読取装置において、透明部材の辺に沿って配置される枠部材を原稿台に設け、透明部材の下面から透明部材を支持する支持部を筐体に設ける。筐体と枠部材とを係合する係合部と、支持部と、透明部材とを、係合部が支持部の下方側となるように鉛直方向に配置する。【選択図】図４
2020021995.tif 000002
【特許請求の範囲】
【請求項１】
筐体と、板状の透明部材を有する原稿台と、副走査方向に沿って往復移動可能であるように前記筐体に取り付けられたキャリッジと、前記キャリッジに搭載され、前記透明部材の上面に載置された原稿を前記透明部材の下面から読み取る画像読取手段と、を有する画像読取装置であって、
前記原稿台は、前記透明部材の辺に沿って配置される枠部材を有し、
前記筐体は、前記透明部材の下面から前記透明部材を支持する支持部を有し、
前記筐体と前記枠部材とを係合する係合部と、前記支持部と、前記透明部材とが、前記係合部が前記支持部の下方側となるように鉛直方向に配置している、画像読取装置。
【請求項２】
前記副走査方向に沿って、複数の前記係合部が設けられている、請求項１に記載の画像読取装置。
【請求項３】
前記透明部材は長方形状であり、前記透明部材における前記副走査方向に平行な両方の辺の各々に対応して前記係合部が設けられている、請求項１または２に記載の画像読取装置。
【請求項４】
前記筐体は、上方に突出しかつ前記副走査方向に延びる壁状部を備え、
前記枠部材は、前記透明部材の下面に対して垂直に下方に突出して前記副走査方向に延びる板状部を有し、
前記壁状部に沿って前記板状部が移動することによって前記原稿台が前記副走査方向にスライドして移動可能である、請求項１乃至３のいずれか１項に記載の画像読取装置。
【請求項５】
前記係合部は、前記板状部に設けられた突起と、前記筐体に設けられて前記突起を受け入れ可能な溝と、を有し、前記溝は前記支持部において前記透明部材を支持する支持面の下方の位置において前記副走査方向に延びるように設けられている、請求項４に記載の画像読取装置。
【請求項６】
前記壁状部は、前記係合部を介して前記原稿台が前記筐体に取り付けられている状態において前記透明部材の下面に対して垂直となるように設けられている、請求項４または５に記載の画像読取装置。
【請求項７】
前記副走査方向の一端部に設けられて前記原稿台の前記副走査方向への移動に対するストッパーとなるリアカバーを備え、
前記透明部材の上面に載置された原稿を押圧する原稿カバーは前記リアカバーを介して取り付けられる、請求項４乃至６のいずれか１項に記載の画像読取装置。
【発明の詳細な説明】
【技術分野】
【０００１】
本発明は、原稿の画像を読み取る画像読取装置に関する。
【背景技術】
【０００２】
原稿の画像を読み取る画像読取装置は、例えば、イメージスキャナ、複写機、ファクシミリ装置、さらには画像読み取り機能を備えた各種の複合機（多機能プリンタなどとも呼ぶ）などとして構成されている。画像読取装置のうち、フラットベッド型のものは、ガラスなどの板状の透明部材からなる原稿台を備え、読取センサが透明部材の下を移動しながら透明部材の上に載置された原稿の画像を読み取るように構成されている。読取センサとしては、原稿台上に載置される原稿の最大幅に対応した長さを有する１次元イメージセンサ（リニアイメージセンサ）が一般的に用いられる。読取センサの移動方向は、１次元イメージセンサの延びる方向を主走査方向として、主走査方向と直交する方向すなわち副走査方向とされる。原稿台において透明部材の周囲には、その透明部材の保持と原稿の位置決めのために枠部材が配置される。そして、画像読取装置の筐体あるいはハウジング部材に対して枠部材を固定することにより、筐体に原稿台が取り付けられる。フラットベッド型の画像読取装置は、一般にガラス板など原稿台の板状の透明部材が重力方向水平となるように使用される。そこで以下の説明では、板状の透明部材の表面に垂直な方向を鉛直方向と規定することとする。
【０００３】
近年、読取センサを含む画像読取ユニットの小型化の進行により、画像読取装置自体のサイズの小型化が進行している。フラットベット型の画像読取装置の設置面積、特に主走査方向のサイズを決める要因としては、次に挙げる寸法が支配的である。
（１）  読取センサを含む画像読取ユニットの主走査方向での長さ。
（２）  原稿台の透明部材を保持する枠部材の幅。
（３）  原稿台の枠部材と画像読取ユニットとのクリアランス。
（４）  枠部材を構成する部材や筐体の外装部品の厚み。
（５）  枠部材と筐体との固定方法（特に、鉛直方向での枠部材と筐体との分離の防止方法）。
従来の画像読取装置では、筐体に対して鉛直方向から原稿台の枠部材をかぶせるように取り付けるため、筐体と原稿台の枠部材とを接続する係合手段は、透明部材の外側に配置される。したがって係合手段を設けたことによって、画像読取装置の主走査方向のサイズが大きくなる。特許文献１は、原稿台の枠部材から下方に延びるロの字状に形成された部材と、筐体に設けられたフックとを係合させることにより、脱着可能に原稿台を筐体に取り付けることを開示している。
【先行技術文献】
【特許文献】
【０００４】
【特許文献１】特開２０１６−１０１００号公報
【発明の概要】
【発明が解決しようとする課題】
【０００５】
上述した従来の画像読取装置の場合、原稿台を筐体に取り付けるために用いる係合手段を設ける分だけ、主走査方向でのサイズが大きくなる、という課題がある。原稿台を筐体に対して着脱可能な構成とするために、係合手段における部材のたわみを利用しているが、画像読取装置の小型化のためにはたわむ部材を小さくする必要があり、係合手段における十分な強度を確保することが難しくなる、という課題もある。
【０００６】
本発明の目的は、装置の小型化が可能であり、さらに筐体と原稿台との間の係合手段の強度を確保することができる画像読取装置を提供することになる。
【課題を解決するための手段】
【０００７】
本発明の画像読取装置は、筐体と、板状の透明部材を有する原稿台と、副走査方向に沿って往復移動可能であるように筐体に取り付けられたキャリッジと、キャリッジに搭載され、透明部材の上面に載置された原稿を透明部材の下面から読み取る画像読取手段と、を有する画像読取装置であって、原稿台は、透明部材の辺に沿って配置される枠部材を有し、筐体は、透明部材の下面から透明部材を支持する支持部を有し、筐体と枠部材とを係合する係合部と、支持部と、透明部材とが、係合部が支持部の下方側となるように鉛直方向に配置している。
【発明の効果】
【０００８】
本発明では、原稿台と筐体とを係合する係合部が支持部と透明部材とに対して鉛直方向に並ぶように配置しているので、支持部を設けたことよって画像読取装置のサイズが大きくならない。したがって本発明によれば、画像読取装置の小型化を達成でき、また、係合部を小型化する必要がなくなって係合部の十分な強度を確保することができる。
【図面の簡単な説明】
【０００９】
【図１】本発明の実施の一形態の画像読取装置の斜視図である。
【図２】読取センサの断面図である。
【図３】画像読取装置におけるデータ処理部を示すブロック図である。
【図４】原稿カバーを除いた画像読取装置の分解斜視図である。
【図５】原稿台ユニットの裏面を示す図である。
【図６】画像読取装置の組み立て方法を示す図である。
【図７】画像読取装置の断面構成を示す図である。
【発明を実施するための形態】
【００１０】
次に本発明の実施の形態について図面を参照して説明する。図１は本発明の実施の一形態の画像読取装置１を示す図であって、原稿カバー２１を開けた状態を示している。画像読取装置１は、装置本体２と、装置本体２に取り付けられた原稿カバー２１とから構成されている。装置本体２の上部には、原稿を載置するための板状の透明部材である原稿台ガラス４２を備える原稿台が原稿台ユニット４１として設けられている。原稿台ユニット４１は、画像読取装置１のハウジング（筐体）を構成する筐体ユニット５１に固定されており、原稿台ユニット４１と筐体ユニット５１とによって装置本体２が構成されている。原稿台ユニット４１の筐体ユニット５１への取り付け方法については後述する。原稿カバー２１は、原稿台ガラス４２の上面に載置された原稿を原稿台ガラス４２に押圧するための押圧部材であり、ヒンジ部２３を介して開閉可能に装置本体２に取り付けられている。原稿カバー２１の押圧面には、シート材とスポンジからなる原稿圧着シート２２が貼り付けられている。
【００１１】
この画像読取装置１はフラットベッド型のものであり、原稿台ガラス４２は長方形状である。原稿台ガラス４２のサイズは、この画像読取装置１で読み取り可能な原稿の最大サイズを規定し、原稿台ガラス４２の短辺方向がこの画像読取装置１の主走査方向となる。以下の説明において、主走査方向をＸ方向とし、原稿台ガラス４２の長辺方向をＹ方向（副走査方向）とする。また、原稿台ガラス４２の表面に垂直な方向をＺ方向とする。画像読取装置１の通常の使用状態において、Ｘ−Ｙ方向は水平方向であり、Ｚ方向は重力方向すなわち鉛直方向であって装置の高さ方向となる。また画像読取装置１本体を正面から見たときに、Ｘ方向は左右方向であり、Ｙ方向は奥行方向である。特に、Ｙ方向（副走査方向）について、原稿カバー２１の取り付け位置側を＋Ｙ方向とし、手前側を−Ｙ方向とする。
【００１２】
画像読取装置１の内部には、原稿台ガラス４２の下面に沿ってＹ方向（副走査方向）に移動可能な読取センサ３が配されている。画像読取手段である読取センサ３は、主走査方向（Ｘ方向）に延びる１次元コンタクトイメージセンサを用いて構成され、キャリッジ４に搭載されている。画像読取装置１の内部の底面には、いずれもＹ方向に延びるラック部材５とガイドレール３１とが設けられている。キャリッジ４は、ラック部材５に沿ってＹ方向に往復移動可能に案内支持されるとともに、キャリッジ４の下面に固定されたスライダ６を介して、ガイドレール３１に摺接する。スライダ６は、ガイドレール３１と係合するガイド部である。キャリッジ４に設けられたモータ７の駆動をギア列８に伝達することによって、キャリッジ４はラック部材５に沿ってＹ方向に移動する。これにより読取センサ３は、キャリッジ４とともに原稿台ガラス４２の下面側をＹ方向に移動し、原稿台ガラス４２の上面に載置された原稿の下面の画像を読み取っていく。
【００１３】
図２は、Ｙ−Ｚ平面での読取センサ３の断面図である。読取センサ３は、その内部に三原色（赤（Ｒ）、緑（Ｇ）及び青（Ｂ））の各々の色の発光素子（例えば発光ダイオード（ＬＥＤ））３３Ｒ，３３Ｇ，３３Ｂと、ロッドレンズアレイ３４と、受光素子（イメージセンサ）３５とを組み込んだものである。発光素子３３Ｒ，３３Ｇ，３３Ｂから原稿台ガラス４２を透過して原稿に照射された光は原稿面で反射され、この反射光は原稿台ガラス４２及びロッドレンズアレイ３４を透過することでイメージセンサ３５上に結像する。読取センサ３では、各色の発光素子３３Ｒ，３３Ｇ，３３Ｂを順次切り替えて点灯させ、イメージセンサ３５が各色ごとに原稿からの反射光を読み取ることにより、色分解読み取りが行われる。
【００１４】
図３は、本実施形態の画像読取装置１において、読取センサ３によって読み取った原稿画像に対するデータ処理を行う回路部分であるデータ処理部の構成を示している。順次点滅する発光素子３３Ｒ，３３Ｇ，３３Ｂに同期してイメージセンサ３５が原稿からの反射光を検出したことによる画像出力信号は、アンプ８１に送られて増幅される。増幅された画像出力信号は、Ａ／Ｄ（アナログ／デジタル）コンバータ８２によりデジタル画像信号に変換される。Ａ／Ｄコンバータ８２は、分解能がＮビット（Ｎは正整数）のものであって、イメージセンサ３５のダイナミックレンジ（原稿上の真白部と真黒部の読取出力差）を２Nに分割して、原稿上の画像の明るさに応じて階調値を割り当てる。例えば、分解能８ビットのＡ／Ｄコンバータ８２を使用する場合には白から黒に至る間を２５６の階調レベルに識別することができ、１０ビットのＡ／Ｄコンバータ８２を使用する場合には１０２４の階調レベルに識別することができる。したがって、８ビットのＡ／Ｄコンバータ８２を用いる場合には、赤、緑及び青の３色の光源によるカラー読取で２４ビットすなわち約１６７０万色を識別することができる。また、１０ビットのＡ／Ｄコンバータ８２を用いる場合には、３０ビットすなわち約１０億７４００万色を識別することができる。
【００１５】
Ａ／Ｄコンバータ８２からのデジタル画像信号は、ゲートアレイ８３に送られる。ゲートアレイ８３は、画像処理回路として機能するように構成されており、インタフェース回路８４を介し、画像読取装置１の外部に設けられているパーソナルコンピュータなどのコンピュータ８５に対して出力を行うことができる。さらに画像読取装置１は、読取センサ３の動作及びキャリッジ４のモータ７の動作などを制御するために、ＣＰＵ（中央処理ユニット）９０を備えている。モータ７の駆動量、ゲートアレイ８３の動作、インタフェース回路８４の動作などもＣＰＵ９０によって制御される。アンプ８１、Ａ／Ｄコンバータ８２、ゲートアレイ８３、インタフェース回路８４及びＣＰＵ８０は制御基板に実装されており、制御基板と電源などとからなる電装部（不図示）は、装置本体１の内部に配置されている。キャリッジ４に設けられた読取センサ３及びモータ７は、フラットケーブル５５（図４参照）によって、電装部に電気的に接続している。
【００１６】
画像読取装置からの画像信号の出力形態には数種類があり、読取画像の用途によって好適な出力形態を選択することができる。文字原稿を読み取ってその内容をＯＣＲ（光学的文字認識）の対象とする場合や、単色の線画を読み取る場合には、モノクロ２値の画像信号を出力することが適している。そのような場合には、前述の３色（赤、青、緑）の発光素子３３Ｒ，２２Ｂ，３３Ｇのうち例えば発光素子３３Ｇだけを点灯して画像信号を取得し、ゲートアレイ８３に組み込まれた画像処理回路により所望のしきい値によって二値化した画像データを出力する。写真などの画像をモノクロプリンタに出力する目的で画像を読み取る場合には、同じく発光素子３３Ｇによる画像信号を使用し、ディザ法や誤差拡散法といった中間調処理を用いて二値化した画像データを出力する。また、カラー画像の処理を行う場合は、多値（２４ビットなど）の画像データを出力することが好ましい。画像処理回路として機能するゲートアレイ８３を経た画像信号は、インタフェース回路８４を介してコンピュータ８５などの機器に出力される。
【００１７】
次に、装置本体２についてさらに詳しく説明する。図４は、原稿カバー２１を取り除いた状態での装置本体２の外装構成を示しており、図５は、原稿台ユニット４１をその裏面側から、すなわち筐体ユニット５１側から見た図である。上述したように装置本体２は、原稿を載置してその位置決めを行う原稿台ユニット４１と、筐体ユニット５１と、から構成されている。筐体ユニット５１は、キャリッジ４とともにＹ方向（副走査方向）に往復移動する読取センサ３の可動領域を囲むとともに、原稿台ユニット４１のＸ，Ｙ，Ｚの各方向での位置決めを行うものであり、原稿台ユニット４１が取り付けられる。原稿台ユニット４１は、透明な原稿台ガラス４２に対し、その原稿台ガラス４２を位置決めして固定するための左方の枠部材４３と右方の枠部材４４と前方の枠部材４５が不図示の両面テープなどにより接着固定することによって構成されている。枠部材４３，４４は、それぞれ原稿台ガラス４２の両方の長辺に沿って配置される細長い部材であり、その断面はＬ字形状であって、相互に対称に形成されている。枠部材４３，４４の前方側の先端部（原稿カバー２１が設けられる位置とは反対側の先端部）には、それぞれ、枠部材４３，４４の長手方向に突出する突起４３ｄ，４４ｄが設けられている。
【００１８】
枠部材４３はＬ字型の断面を有するので、２つの細長い板状部４３ｘ，４３ｚが９０°の角度で接続したものと考えることができる。一方の板状部４３ｘは原稿台ガラス４２の上面に接着されており、他方の板状部４３ｘは、原稿台ガラス４３の下面に垂直に下方すなわちＺ方向に突出する。同様に枠部材４４も、原稿台ガラス４２の上面に接着された板状部４４ｘと、原稿台ガラス４３の下面に垂直にＺ方向に突出する板状部４４ｚを有する。枠部材４３の板状部４３ｘ，４３ｚのうち、Ｚ方向に下方に突出する板状部４３ｚには、枠部材４３の長手方向（すなわちＹ方向）に沿って３個の突起４３ａ〜４３ｃが形成されている。同様に、枠部材４４にも板状部４４ｚに３個の突起４４ａ〜４４ｃが形成されている。
【００１９】
筐体ユニット５１は、図４に示すように、画像読取装置１の外装カバー類を含んで構成されるものである。外装カバー類には、装置本体２の主要な外装部分を占めるベースフレーム５２と、原稿台ユニット４１をＸ−Ｙ方向で位置決めして固定するフロントカバー５３と、スイッチ基板（不図示）の周囲を覆うパネルカバー５４とが含まれる。スイッチ基板には、画像読取装置１を操作するために用いられるスイッチ類が設けられている。ベースフレーム５２では、その上面（原稿台ユニット側の面）が開口となっており、開口の縁に沿うように上方に突出する壁状部５２ｇが形成されている。壁状部５２ｇは、筐体ユニット５１が上方に露出する位置にあってキャリッジ４が往復する方向すなわち副走査方向に延びている。ベースフレーム５２のＸ方向両端に形成された壁状部５２ｇの各々には、原稿台ガラス４２を重力方向に支持するガラス支持部５２ａ〜５２ｃが壁状部５２ｇからさらに上方に突出するように配置されている。ガラス支持部５２ａ〜５２ｃは、透明部材である原稿台ガラス４２を原稿台ガラス４２の下面から支持する支持部である。ベースフレーム５２には壁状部５２ｇは２つ設けられているので、ガラス支持部５２ａ〜５２ｃは合計６個有ることになる。ここに示す例ではガラス支持部５２ａ〜５２ｃは左右対称位置に配置されている。ガラス支持部５２ａ〜５２ｃの上面は、原稿台ガラス４２を支持する支持面であって水平面として形成されている。後述するように原稿台ユニット４１を筐体ユニット５１に取り付けたときにガラス支持部５２ａ〜５２ｃの上面が原稿台ガラス４２の下面に当接して原稿台ガラス４２を重力方向に対して支持する。ここではガラス支持部５２ａ〜５２ｃを左右対称に配置するとしたが、原稿台ガラス４２を安定して支持できるのであれば左右対称に配置する必要はなく、ガラス支持部５２ａ〜５２ｃの総数も６である必要はない。ガラス支持部５２ａ〜５２ｃは、壁状部５２ｇから上方に突出する突出物として形成されているが、突出物としての高さ方向の中間の位置に、それぞれ、抜け止め部５２ｄ〜５２ｆが形成されている。抜け止め部５２ｄ〜５２ｆは、原稿台ユニット４１のＺ方向（すなわち鉛直方向）への抜け落ちを防ぐためのものであって、ガラス支持部５２ａ〜５２ｃにおいてＹ方向に延びるように形成された切れ込みあるいは溝である。したがってガラス支持部５２ａ〜５２ｃからＸ方向から見たときに、ガラス支持部５２ａ〜５２ｃは、抜け止め部５２ｄ〜５２ｆが形成されていることによってコの字型に見えることになる。抜け止め部５２ｄ〜５２ｆは、それぞれ、原稿台ユニット４１の枠部材４３の突起４３ａ〜４３ｃ（あるいは枠部材４４の突起４４ａ〜４４ｃ）と係合可能に設けられている。
【００２０】
図６は、原稿台ユニット４１を筐体ユニット５１に取り付ける手順を順を追って示す図であり、図６を用いて装置本体２の外装組立方法について説明する。図６（ａ）は、フロントカバー５３及びパネルカバー５４を組み込む前の内部部品を組み込んだ状態の筐体ユニット５１を示している。図６（ｂ）は、筐体ユニット５１に対してフロントカバー５３及びパネルカバー５４を位置決めして固定した状態を示している。フロントカバー５３は画像読取装置１における最大重量のユニットである原稿台ユニット４１の保持固定に用いられるものであるから、フロントカバー５３の固定方法としては、ビスによりベースフレーム５２へ固定するものが望ましい。パネルカバー５４は、スナップフィットによる固定でも構わない。
【００２１】
次に図６（ｃ）に示す工程において、原稿台ユニット４１が筐体ユニット５１に位置決めされ固定される。このとき原稿台ユニット４１は、矢印Ａ（Ｚ方向）及び矢印Ｂ（−Ｙ方向）の順で２段階で動かされ、これよって筐体ユニット５１に組み込まれて固定される。具体的にはまず、原稿台ユニット４１を筐体ユニット５１の所定の上方に配置する。その所定の位置とは、原稿台ユニット４１の枠部材４３の突起４３ａ〜４３ｃと枠部材４４の突起４４ａ〜４４ｃが、ベースフレーム５２における領域Ｃ〜Ｅ（図６（ｂ）参照）の上方に配置されることとなる位置のことである。これらの領域Ｃ〜Ｅは、枠部材４３，４４の突起４３ａ〜４３ｃ，４４ａ〜４４ｃが矢印Ａ方向に沈み込んでも、突起４３ａ〜４３ｃ，４４ａ〜４４ｃがガラス支持部５２ａ〜５２と干渉しないような領域である。したがって矢印Ａの方向に原稿台ユニット４１を動かすとき、原稿台ユニット４１は、ベースフレーム５２と干渉することなく、また変形することなく、原稿台ガラス４２がガラス支持部５５ａ〜５５ｃに当接するようになるまで沈み込む。次に原稿台ユニット４１がフロントカバー５３に突き当たるまで原稿台ユニット４１を矢印Ｂ方向にスライドさせることにより、原稿台ユニット４１の副走査方向（Ｙ方向）での位置が決まることになる。また、枠部材４３，４４の先端部の突起４３ｄ，４４ｄが、フロントカバー５３に形成されている不図示の嵌合部に嵌合することにより、原稿台ユニット４１の主走査方向（Ｘ方向）での位置が最終的に決まることになる。その後、図６（ｄ）に示すように、リアカバー５６を矢印方向に組み込み固定することで、原稿台ユニット４１は、筐体ユニット５１に対して最終的に位置決めされ固定される。リアカバー５６の取り付け位置は、画像読取装置１におけるＹ方向（副走査方向）での一端部であり、リアカバー５６は、原稿台ユニット４１のＹ方向への移動に対するストッパーとして機能する。リアカバー５６は、原稿カバー２１を装置本体２に取り付けるためのヒンジ部２３の一部が形成されており、原稿カバー２１の装置本体２への接続部位となる部材でもある。
【００２２】
次に、原稿台ユニット４１についての上方方向（Ｚ方向）への抜け止め機構について説明する。図７（ａ）は、図６を用いて説明したように原稿台ユニット４１と筐体ユニット５１によって組み立てた後の装置本体２の断面図であり、図７（ｂ），（ｃ）は、それぞれ、図７（ａ）の両端の一点鎖線で囲んだ部分の拡大図である。図示されるように、枠部材４３の突起４３ａと枠部材４４の突起４４ａは、ベースフレーム５２の溝状に形成された抜け止め部５２ｄの中にあって、上方への動きが抜け止め部５２ｄを構成する溝の内壁によって規制されている。図７では、枠部材４３の突起４３ｂ，４３ｃは突起４３ａに見かけ上重なるので見えず、同様に枠部材４４の突起４４ｂ，４４ｃとベースフレーム５２の抜け止め部５２ｅ，５２ｆも突起４４ａあるいは抜け止め部５２ｄと見かけ上重なるので見えていない。しかしながら、突起４３ａ，４４ａの場合と同様に、突起４３ｂ，４４ｂの上方への動きは抜け止め部５２ｅによって規制され、突起４３ｃ，４４ｃの上方への動きも抜け止め部５２ｆによって規制されている。突起４３ａ〜４３ｃ，４４ａ〜４４ｃの上方への動きが規制されていることにより、筐体ユニット５１から原稿台ユニット４１が抜けることが防止される。突起４３ａ〜４３ｃ，４４ａ〜４４ｃと抜け止め部５２ｄ〜５２ｆは、原稿台ユニット４１と筐体ユニット５１とを係合する係合部を構成する。この係合部とガラス支持部５２ａ〜５２ｃと原稿台ガラス４２とは、係合部がガラス支持部５２ａ〜５２ｃの下方側となるように鉛直方向に配置していることになる。ここで示す例では、原稿台ガラス４２におけるＹ方向（副走査方向）に平行な両方の辺に対応してそれぞれ複数の係合部が設けられていることになる。
【００２３】
さらに枠部材４３の突起４３ａの位置は、Ｘ方向で考えると、ベースフレーム５２のガラス支持部５２ａが設けられている領域内にある。ガラス支持部５２ａは下方から原稿台ガラス４２を支持するものであるから、ガラス支持部５２ａの範囲内に位置するように突起４３ａを設けたからといって、主走査方向（Ｘ方向）での原稿台ユニット４１や筐体ユニット５１のサイズが大きくなることはない。同様に、枠部材４４の突起４４ａもガラス支持部５２ａのＸ方向での領域内にある。残りの突起についても、突起４３ｂ，４４ｂはガラス支持部５２ｂの領域内にあり、突起４３ｃ，４４ｃはガラス支持部５２ｃの範囲内にある。結局、この構成においては、原稿台ユニット４１の抜けを防止する構造は、ベースフレーム５２において原稿台ガラス４２を下方から支持する領域内に収まっており、抜け止め機構が画像読取装置の主走査方向（Ｘ方向）のサイズに影響することはない。
【００２４】
このように本実施形態の画像読取装置１では、装置を構成するユニットの中で最大重量の原稿台ユニット４１を、部品や部材の変形を利用することなく筐体ユニット５１に組み込むことができる。さらに、ベースフレーム５２において原稿台ガラス４２を支持する部分の範囲内で原稿台ユニット４１のＺ方向への抜け止めを構成している。これにより、本実施形態の画像読取装置１は、主走査方向（Ｘ方向）の幅を最小にすることができる。
【００２５】
次に、原稿台ユニット４１と筐体ユニット５１とによる外装構成と、画像読取装置１の内部に配置するフラットケーブル５５などとの関係について説明する。一般に画像読取装置の内部には、読取センサやそれに接続するフラットケーブルなどの電気部品が設けられ、これらは原稿の走査のために移動する。このような画像読取装置では、静電気を帯びたユーザが画像読取装置に触れたときに、原稿台を筐体に取り付けたときに両者の間に生ずる隙間を介してユーザからの静電放電がフラットケーブルや読取センサにまで及ぶことがある。静電放電がフラットケーブルや読取センサにまで及ぶと画像読取装置内の電気回路等の破損が生じるおそれがある。静電放電による悪影響は、画像読取装置の小型化のために隙間とフラットケーブルや読取装置との距離（沿面距離）を小さくしたときに顕著になる。逆に静電放電による影響を軽減するために沿面距離を大きくなるように筐体などの形状を変更すると、画像読取装置のサイズが大きくなるという課題を生じる。
【００２６】
そこで本実施形態の画像読取装置１では、画像読取装置のサイズ、特に主走査方向でのサイズを増加させずに上述の沿面距離を大きくすることにより、静電放電による悪影響を防いでいる。上述したように、枠部材４３，４４の板状部４３ｚ，４４ｚは、原稿台ガラス４２の下面に対して垂直に下方に向けて突出している。図６（ｄ）に示すように原稿台ユニット４１を筐体ユニット５１に固定した状態において、枠部材４３，４４の板状部４３ｚ，４４ｚとベースフレーム５２の壁状部５２ｇの外側面とが相互に近接して重なり合っている。この重なり合う部分の重なりしろが、静電放電に関する沿面距離に該当する。枠部材４３，４４と壁状部５２ｇとが重なり合う面は鉛直な面であり、これにより、沿面距離を大きくしても主走査方向での画像読取装置１のサイズを大きくしないで済む。また、枠部材４３，４４と壁状部５２ｇとが重なり合う面が鉛直方向の面とすることにより、図６（ｃ）に示す工程において矢印Ａ方向への原稿台ユニット４１の沈み込みを容易にし、矢印Ｂ方向への原稿台ユニット４１のスライドも容易にする。以下、静電放電による悪影響の軽減について、さらに詳しく説明する。
【００２７】
ベースフレーム５２は、その内部でキャリッジ４が副走査方向に往復移動するので、キャリッジ４が移動する空間を囲む内壁を備えている。図４に示すように、読取センサ３と制御基板（不図示）とを電気的に接続するフラットケーブル５５が、主走査方向（Ｘ方向）の左側の位置にあるベースフレーム５２の内壁（図４においては奥側の内壁）に沿うように配置されている。図７（ｂ）は、Ｘ−Ｚ平面での装置本体２の断面から見たときのフラットケーブル５５とベースフレーム５２の主走査方向左側の内壁との配置関係を示している。さらに図７（ｂ）には、原稿台ユニット４１の枠部材４３と筐体ユニット５１のベースフレーム５２とが接する部分も示されている。枠部材４３とベースフレーム５２とが接する部分においては、枠部材４３の板状部４３ｚ（図７（ａ）参照）とベースフレーム５２とが密着するはずであるが、両者が密着せずに隙間５７が生じることがある。静電気を帯びたユーザの体の一部、例えば手などがこの隙間５７に接近した場合、外装部分に最も近い部材であるフラットケーブル５５に対して静電放電が及ぶことが予測される。
【００２８】
しかしながら、本実施形態では、枠部材４３の板状部４３ｚと、その図示右側に配置されているベースフレーム５２の壁状部５２ｇとが重なり合う部分が広く、隙間５７を介した画像読取装置１の外部からフラットケーブル５５までの沿面距離が長くなっている。これにより、フラットケーブル５５に対して静電放電が達することを防いでいる。図７（ｃ）には、枠部材４４の板状部４４ｚ（図７（ａ）参照）とベースフレーム５２との間に同様に形成される隙間５８が示されている。画像読取装置１の外側からこの隙間５８を介して最も近い部材は読取センサ３であるが、本実施形態では隙間５８における沿面距離も長くなっているので、読取センサ３に対して静電放電が達することも防止される。このように本実施形態の画像読取装置１は静電気に対する耐性が向上しており、ユーザが静電気を帯びている場合においても画像読取装置１の内部に静電放電が達しないので、電気的な破損の可能性が低減する。
【符号の説明】
【００２９】
１    画像読取装置
３    読取センサ
４    キャリッジ
４１    原稿台ユニット
４２    原稿台ガラス
４３，４４    枠部材
４３ａ〜４３ｃ，４４ａ〜４４ｃ    突起
４３ｘ，４３ｚ，４４ｘ，４４ｚ    板状部
５１    筐体ユニット
５２    ベースフレーム
５２ａ〜５２ｃ    ガラス支持部
５２ｄ〜５２ｆ    抜け止め部
５２ｇ    壁状部
【図１】
2020021995.tif 000003
【図２】
2020021995.tif 000004
【図３】
2020021995.tif 000005
【図４】
2020021995.tif 000006
【図５】
2020021995.tif 000007
【図６】
2020021995.tif 000008
【図７】
2020021995.tif 000009